(57)【要約】【課題】スロット紙の破れを防止することが可能なステータコア位置決め方法、及びステータコア位置決め装置を提供。【解決手段】ステータコア２に備えられるスロット５へ被覆導線３を挿入することでステータ１を形成するステータ製造方法において、ステータコア２を支持手段１０で支持し、スロット５に挿入されるスロット紙７を保護する上側カフササポータ１２及び下側カフササポータ１３で、スロット紙７の上端部及び下端部を保護し、ステータコア２の上端面２ａを、押圧ピン２０で押圧し、ステータコア２のスロット５に、被覆導線３を挿入する。【選択図】図１３
2010200505.tif 000002
【特許請求の範囲】
【請求項１】
ステータコアに備えられるスロットへコイルを挿入することでステータを形成するステータ製造方法において、
前記ステータコアを支持手段で支持し、
前記スロットに挿入されるスロット紙を保護するカフササポータで、前記スロット紙の上端部及び下端部を保護し、
前記ステータコアの上面を、押圧手段で押圧し、
前記ステータコアの前記スロットに、前記コイルを挿入する、
ことを特徴とするステータ製造方法。
【請求項２】
請求項１に記載のステータ製造方法において、
前記押圧手段が、前記カフササポータに設けられた穴を貫通して、前記ステータコアの外周部を押さえることを特徴とするステータ製造方法。
【請求項３】
ステータコアに備えられるスロットへコイルを挿入するステータ製造装置において、
前記ステータコアを支持する支持手段と、
前記スロットに挿入されるスロット紙の上端部及び下端部を保護するカフササポータと、
前記ステータコアの上面を、前記カフササポータを貫通して押圧する押圧手段と、
前記ステータコアの前記スロットに、前記コイルを挿入するコイル挿入手段と、
を備えることを特徴とするステータ製造装置。
【発明の詳細な説明】
【技術分野】
【０００１】
本発明は、ステータコアにコイルを巻回する際にスロット紙を保護する技術に関するものであり、カフササポータとその周辺機器を工夫することで、スロット紙を保護しながらコイルを巻回する技術に関するものである。
【背景技術】
【０００２】
モータのステータに備えられるコイルは、通常、被覆導線をステータコアに形成されたティース部分に巻回して形成される。ステータコアの内周側に形成されるティースとティースの間にはコイルが通過するスロットが形成されており、コイルを巻回する為には被覆導線をそのスロットに挿入させながら巻回する必要がある。
この際に様々な問題が発生する為、コイル形成については多くの検討がなされている。
【０００３】
特許文献１には、コイル挿入装置についての技術が開示されている。
コイル挿入装置は、一定の間隙を保って感情に配置された１２本のブレードを備え、ブレードに隣接する隙間にステータコアを引っ掛け、スロットの形成されたステータコアをブレードの外周に嵌合する。ストリッパを上昇させると、ステータコイルが押し上げられ、ブレードはエアシリンダによって押圧されるので、ブレードとストリッパによってステータコイルを保持することが可能となる。
これにより、ウェッジやステータコイルのスロットからの飛び出しを抑えることが可能となる。
【０００４】
特許文献２には、コイル挿入装置についての技術が開示されている。
コイル挿入装置には、ステータコアのティースに対向して配列された複数のブレードと、これらのブレード間に引き掛けられたコイルをステータコアの対応するスロットに押し込むストリッパを備えている。そして、ストリッパの押し込み方向に位置する端面に当接するティース押さえが設けられている。
この結果、ステータコアのスロットにコイルを高密度で挿入してもステータコアのティースが捲れあがらないようにコイルを巻回することが可能になる。
【０００５】
特許文献３には、絶縁し挿入矯正装置及びステータコア搬入装置についての技術が開示されている。
ステータコアをチャック部で担持された状態で、挿入サポートシリンダを下降し、コア押さえ部がスロットの開口方向であるコアの内径側端部の上端面を押圧する。この結果、コア押さえ部からコアの外形側に傾斜して立ち上がる側面により誘導部が構成され、絶縁紙の挿入に従い、絶縁紙の内側への傾斜が矯正される。
【先行技術文献】
【特許文献】
【０００６】
【特許文献１】特開平８−２２８４６２号公報
【特許文献２】特開２００３−９２８６１号公報
【特許文献３】特開２００５−７３４１３号公報
【発明の概要】
【発明が解決しようとする課題】
【０００７】
しかしながら、特許文献１乃至特許文献３には以下に説明する課題があると考えられる。
自動車の駆動用に用いられるモータには、小型化及び高出力化を求められている為、コイルに大きな電流を流す必要がある。このため、コイルとステータコアとの絶縁を確保する目的で、ステータコアのスロットにはスロット紙が挿入される。しかし、コイルを巻回する際に、このスロット紙のエッジ部分が破れてしまうという問題がある。
特許文献１及び特許文献２ではスロット紙を用いる点について開示していない為、このような問題について言及していない。また、特許文献３でもスロット紙の破れについては言及していない。つまり、特許文献１乃至特許文献３において、スロット紙の破れについては問題として認識されていない。
【０００８】
スロット紙の破れは、スロット紙の端部で発生し易い傾向にあり、この破れが生じるとコイルとステータコアとの絶縁沿面距離が確保できなくなるという問題がある。したがって、スロット紙の破れについては修正する必要がある。
このスロット紙の破れの修正は、細かい作業である為に自動化が難しく人手によって行われる。この結果、スロット紙の破れがステータの製造コストに影響することになる。
【０００９】
そこで、本発明はこのような課題を解決するために、スロット紙の破れを防止することが可能なステータコア位置決め方法、及びステータコア位置決め装置を提供することを目的とする。
【課題を解決するための手段】
【００１０】
前記目的を達成するために、本発明によるステータ製造方法は以下のような特徴を有する。
（１）ステータコアに備えられるスロットへコイルを挿入することでステータを形成するステータ製造方法において、
前記ステータコアを支持手段で支持し、前記スロットに挿入されるスロット紙を保護するカフササポータで、前記スロット紙の上端部及び下端部を保護し、前記ステータコアの上面を、押圧手段で押圧し、前記ステータコアの前記スロットに、前記コイルを挿入する、ことを特徴とする。
【００１１】
（２）（１）に記載のステータ製造方法において、
前記押圧手段が、前記カフササポータに設けられた穴を貫通して、前記ステータコアの外周部を押さえることを特徴とする。
【００１２】
また、前記目的を達成するために、本発明によるステータ製造方法は以下のような特徴を有する。
（３）ステータコアに備えられるスロットへコイルを挿入するステータ製造装置において、
前記ステータコアを支持する支持手段と、前記スロットに挿入されるスロット紙の上端部及び下端部を保護するカフササポータと、前記ステータコアの上面を、前記カフササポータを貫通して押圧する押圧手段と、前記ステータコアの前記スロットに、前記コイルを挿入するコイル挿入手段と、を備えることを特徴とする。
【発明の効果】
【００１３】
このような特徴を有する本発明によるステータ製造方法により、以下のような作用、効果が得られる。
上記（１）に記載される発明は、ステータコアに備えられるスロットへコイルを挿入することでステータを形成するステータ製造方法において、ステータコアを支持手段で支持し、スロットに挿入されるスロット紙を保護するカフササポータで、スロット紙の上端部及び下端部を保護し、ステータコアの上面を、押圧手段で押圧し、ステータコアのスロットに、コイルを挿入するものである。
【００１４】
カフササポータを用いることで、スロット紙の上端部及び下端部に形成されるカフス部分が保護され、被覆導線を束ねてスロットに挿入することでコイルを巻回する際にもカフス部を保護することができる。
しかしながら、単に保護するだけでは不十分で、カフス部が破損することがあった。
出願人が調査した結果、スロット内の占積率を高めようとして、スロットに多くの被覆導線を挿入すると、スロット内に被覆導線を挿入する際に摩擦等の影響でステータコアが動いてしまう場合がある。このステータコアの移動が、カフス部の破れに繋がっていることが分かった。
【００１５】
これは、ステータコアに対してスロット紙の製作長さを大きく採っていることも影響している。しかし、ステータコアは電磁鋼板を積層して形成される為、厚み方向の公差を高めることは難しく、一方スロット紙についても紙を原材料としている為、折り曲げ後の長さの精度を出すのは難しい。
このような事情により、スロット紙にある程度の長さに余裕を持たせることは必須であるといえる。このため、ステータコアの上面を押圧手段で押圧し、ステータコアが動かないように保持することで、このようなスロット紙の破れを防ぐことが可能になることを出願人は確認している。
【００１６】
したがって、本発明によりスロット紙の破れを防止することが可能となるので、ステータの製造にあたって歩留まりの向上を図ることができると共に、スロット紙の破れを修正する手間を掛ける必要がなくなることで、ステータのコストダウンを図ることが可能となる。
【００１７】
また、上記（２）に記載の発明は、（１）に記載のステータ製造方法において、押圧手段が、カフササポータに設けられた穴を貫通して、ステータコアの外周部を押さえるものである。
カフササポータは、ステータコアに形成されるスロットの上面及び下面を覆い、スロット紙の上端部と下端部を保護することを目的として配置される為、コイルを巻回する際には、カフササポータによって、ステータコアの上面及び下面は覆われている。
このため、押圧手段によってステータコアを押さえることが難しい。そこで、カフササポータの上面側に貫通穴を設け、カフササポータの上面側からステータコアを、カフササポータを貫通して押さえつけることで、ステータコアの上下方向のズレを規制することが可能となる。
【００１８】
また、このような特徴を有する本発明によるステータ製造装置により、以下のような作用、効果が得られる。
上記（３）に記載の発明は、ステータコアに備えられるスロットへコイルを挿入するステータ製造装置において、ステータコアを支持する支持手段と、スロットに挿入されるスロット紙の上端部及び下端部を保護するカフササポータと、ステータコアの上面を、カフササポータを貫通して押圧する押圧手段と、ステータコアのスロットに、コイルを挿入するコイル挿入手段と、を備えるものである。
したがって、（１）のステータ製造方法と同様に、スロット紙の端部に形成されたカフス部に破れが発生することを防止する事の可能な、ステータ製造装置を提供することが可能となる。
【図面の簡単な説明】
【００１９】
【図１】本実施形態の、ステータの斜視図である。
【図２】本実施形態の、ステータを構成するステータコアの平面図である。
【図３】本実施形態の、ステータコアの断面図である。
【図４】本実施形態の、ステータコアの斜視図である。
【図５】本実施形態の、スロット紙挿入工程の斜視図である。
【図６】本実施形態の、スロットにスロット紙が挿入された状態の斜視図である。
【図７】本実施形態の、スロットにスロット紙が挿入された状態で被覆導線が挿入された様子の斜視図である。
【図８】本実施形態の、カフササポート機構の上面視図である。
【図９】本実施形態の、カフササポート機構の断面図である。
【図１０】本実施形態の、スロットに対応した一対の上側カフササポータの平面図である。
【図１１】本実施形態の、上側カフササポータの断面図である。
【図１２】本実施形態の、上側カフササポータにコイルを通した状態の断面図である。
【図１３】本実施形態の、カフササポート機構でスロット紙を保護する様子を表す断面図である。
【発明を実施するための形態】
【００２０】
まず、本発明の実施形態について説明する。
図１に、ステータの斜視図を示す。なお、図１は説明の都合上、模式的に示されている。実際には被覆導線はもっと密に巻回されコイルが形成される。
図２に、ステータを構成するステータコアの平面図を示す。図３に、ステータコアの断面図を示す。図４に、ステータコアの斜視図を示す。
ステータ１は、ステータコア２に被覆導線３を巻回しコイルが形成されて構成される。
【００２１】
ステータコア２は方向性珪素鋼板等の電磁鋼板６をドーナツ状にプレスで打ち抜き、積層して形成された円筒形状に形成される。そして、ステータコア２には、内周側に突出して形成されるティース４と被覆導線３の挿入されるスロット５とを備えている。また、ステータコア２の外周部にはボルト穴形成部２ｃが３カ所形成され、ボルト穴形成部２ｃにはボルト穴２ｄが設けられている。
スロット５は隣り合うティース４の間に形成されており、スロット５にスロット紙７と被覆導線３が挿入されてコイルが形成される。
【００２２】
図５に、スロット紙挿入工程を斜視図で示す。図６に、スロット紙が挿入された状態を斜視図で示している。図７に、スロット紙が挿入された状態で、被覆導線が挿入された様子を斜視図で示している。
ステータコア２に備えられるスロット５にはステータコア２と被覆導線３を絶縁する為のスロット紙７が挿入される。スロット紙７にはその上端部と下端部が折り曲げられることによって上端部カフス部７ａと下端部カフス部７ｂが形成されている。
このスロット紙７を図５に示される方向からステータコア２に形成されるスロット５に挿入することで、図６に示されるようにステータコア２に配置される。
【００２３】
ステータコア２のスロット５にスロット紙７が挿入された後、スロット紙７に設けられた上端部カフス部７ａ及び下端部カフス部７ｂが、ステータコア２の上端面２ａ及び下端面２ｂに当接することで、スロット紙７がスロット５から抜けないように保持される。
スロット紙７の上端部カフス部７ａ及び下端部カフス部７ｂは、スロット紙７の外周側に向かって紙を折り返すことで形成されている。従って、ステータコア２のスロット５に挿入されると、スロット紙７自身のコシによって上端部カフス部７ａ又は下端部カフス部７ｂが広がる為、スロット紙７はスロット５から抜け落ちることはない。
また、スロット５はステータコア２の内周側より外周側の方が広がるように形成されているので、スロット紙７はステータコア２の内側にも抜けにくい構造となっている。
【００２４】
図８に、カフササポート機構の上面視図を示す。図９に、カフササポート機構の断面図を示す。
カフササポート機構１１は、上側カフササポータ１２と、下側カフササポータ１３と、カフササポータ保持部材１４とを有する。
上側カフササポータ１２及び下側カフササポータ１３は、ステータコア２が備えるティース４の数だけサポート爪を備えており、カフササポータ保持部材１４によって支持されている。
カフササポータ保持部材１４は上部保持部材１５と下部保持部材１６を備えている。上部保持部材１５と下部保持部材１６は５カ所に備えられるポスト１７によって下部保持部材１６に対して上部保持部材１５が平行に保持されるように設計されている。
【００２５】
上部保持部材１５には上側カフササポータ１２がステータコア２の内周側に向けて進退可能に保持され、下部保持部材１６にはステータコア２の内周側に向けて進退可能に下側カフササポータ１３が保持されているので、上側カフササポータ１２と下側カフササポータ１３は平行に保持されることになる。
上部保持部材１５にはスリット１５ａが形成されているが、３カ所にスリット１５ａを更に長穴にした押圧ピン通過スリット１５ｂが設けられている。この押圧ピン通過スリット１５ｂはステータコア２がカフササポート機構１１に保持された際に、ステータコア２のボルト穴形成部２ｃが現れる位置に設けられている。
したがって、押圧ピン２０は押圧ピン通過スリット１５ｂを通過して、上端面２ａのボルト穴形成部２ｃと当接することになる。
【００２６】
図１０に、スロットに対応した一対の上側カフササポータの平面図を示す。図１１に、上側カフササポータの断面図を示す。図１０のＡＡ断面である。また、図１２に、上側カフササポータにコイルを通した状態の断面図を示す。
ステータコア２に形成されるスロット５に対応した一対のカフササポート機構１１は、図１０に示すように、２本の右側棒状体３１と左側棒状体３２とからなる。そして、二股部３３を有している。なお、右側棒状体３１と左側棒状体３２は説明の便宜上付けた名称であるため、隣のスロット５においては左側棒状体３２が右側棒状体３１となり隣り合う左側棒状体３２と二股部３３を形成することになる。
【００２７】
二股部３３は右側先端部３１ａ及び左側先端部３２ａよりなり、合わせ面３４で当接している。合わせ面３４の端には継目３４ａが形成される。そして、右側先端部３１ａ及び左側先端部３２ａには、図１１に示すような庇部３５が継目３４ａに跨るように形成されている。
この庇部３５は、図１１に示すようにスロット紙７を保持する際に上端部カフス部７ａが入り込むように設計されている。こうなることで、図１２に示すように被覆導線３が挿入された際に、上端部カフス部７ａ及び下端部カフス部７ｂは被覆導線３と干渉しなくなる。
このような右側棒状体３１及び左側棒状体３２の組が複数設けられることで、上側カフササポータ１２が形成される。なお、下側カフササポータ１３についてもほぼ同じ構成であるので、説明は省略する。
【００２８】
このような構成なので、ステータコア２に被覆導線３を挿入してコイルを巻回するには、以下のような手順となる。
まず、ステータコア２に支持手段１０で支持させた後、図５に示すように、ステータコア２のスロット５にスロット紙７を挿入する。
そして、カフササポート機構１１をセットして上側カフササポータ１２及び下側カフササポータ１３でスロット紙７を保護する。
図１３に、カフササポート機構でスロット紙を保護する様子を表す断面図を示す。
【００２９】
上側カフササポータ１２及び下側カフササポータ１３の配置は、カフササポータ全幅ｃがスロット紙前高ａよりも幅広に設定され、尚かつクリアランスｂが設けられるような配置となる。
クリアランスｂはステータコア２の幅についての寸法公差を考慮している。
【００３０】
このように上側カフササポータ１２及び下側カフササポータ１３が配置された段階で、押圧手段にあたる押圧ピン２０によってステータコア２の上端面２ａを押圧する。押圧部分は前述したようにボルト穴形成部２ｃ付近である。なお、押圧ピン２０が上端面２ａを押圧する際に荷重は殆どかけられない。ステータコア２がずれるのを防止する為に、押圧ピン２０の位置が変わらないように保持されている。
この状態で、図１２に示すように被覆導線３を挿入し、図１に示す状態になるように被覆導線３を巻回してコイルを形成する。
このようにしてステータ１は形成される。
【００３１】
本実施形態は上記構成であるので、以下に説明する作用及び効果を奏する。
まず、本実施形態のステータ製造方法を用いることでスロット紙の破れを防止できる点が挙げられる。
本実施形態のステータ製造方法は、ステータコア２に備えられるスロット５へ被覆導線３を挿入することでステータ１を形成するステータ製造方法において、ステータコア２を支持手段１０で支持し、スロット５に挿入されるスロット紙７を保護する上側カフササポータ１２及び下側カフササポータ１３で、スロット紙７の上端部及び下端部を保護し、ステータコア２の上端面２ａを、押圧ピン２０で押圧し、ステータコア２のスロット５に、被覆導線３を挿入するものである。
【００３２】
上側カフササポータ１２及び下側カフササポータ１３を用いることで、スロット紙７の上端部カフス部７ａ及び下端部カフス部７ｂが保護され、被覆導線３を束ねてスロット５に挿入する際にも上端部カフス部７ａ又は下端部カフス部７ｂを保護することができる。
この際に、押圧ピン２０で上端面２ａを押圧している為、被覆導線３をスロット５に挿入する際にステータコア２が動いてしまうことを防止することが可能である。
【００３３】
出願人が調べた結果、被覆導線３を巻回してコイルを形成する際に、摩擦等の関係でステータコア２がずれ、その結果、上側カフササポータ１２及び下側カフササポータ１３からスロット紙７が飛び出すことでスロット紙７の上端部カフス部７ａまたは下端部カフス部７ｂが破損すると考えられた。
このため、ステータコア２が移動しないように押圧ピン２０で浮き上がり防止を図ることで、このような破損を防ぐことが可能になった。
出願人が調べた限り、このようなスロット紙７の破損はロットによっても異なるが、数％から数十％程度のステータ１で発生したが、本発明を適用することで、ほぼゼロとすることが出来た。
【００３４】
ステータコア２の移動は、上側カフササポータ１２及び下側カフササポータ１３の位置、すなわちカフササポータ全幅ｃを縮めることで、抑制することができる。しかしながら、前述したようにステータコアの厚さの公差によってクリアランスｂが決定され、クリアランスｂはステータコア２の厚みの寸法公差を吸収する程度必要である。
ステータコア２の厚みの寸法公差は、電磁鋼板６を積層して形成する都合上、これ以上の精度を求めることは難しい。現状では数百μｍから数ｍｍ程度のバラツキがある。
【００３５】
このため、ステータコアの厚さの最大公差からスロット紙前高ａの幅を決定し、その寸法からカフササポータ全幅ｃが決まることになるので、ステータコア２に対して上側カフササポータ１２及び下側カフササポータ１３の位置を現状より縮めるのは困難であるという実情がある。
また、右側棒状体３１及び左側棒状体３２に形成される庇部３５によって、スロット紙７の飛び出しをある程度防止する事は可能であるが、押圧ピン２０を用いることで、より効果が高まることが確認されている。
【００３６】
また、押圧ピン２０が、上側カフササポータ１２に設けられた穴を貫通して、ステータコア２の外周部を押さえる構成としていることで、上側カフササポータ１２を介して押圧ピン２０でステータコア２の上端面２ａを押圧することが可能となる。
上側カフササポータ１２及び下側カフササポータ１３の隙間はクリアランスｂとほぼ同じ幅となっている。このため、ステータコア２を保持する為にはクリアランスｂの間に爪を入れて保持するか、或いはステータコア２の側面に引っ掛ける場所を作って保持するか、という方法が考えられる。
しかしながら、ステータコア２は電磁鋼板６を積層して形成している為、押圧ピン２０を用いて上端面２ａを上から押さえた方がステータコア２の移動や電磁鋼板６の浮き上がりを防ぐには都合が良い。
【００３７】
そして、出願人が確認した結果、スロット紙７の上端部カフス部７ａ及び下端部カフス部７ｂの破れは、スロット紙７におけるステータコア２の外周部にあたる部分付近が破損することが多かった。
このため、ステータコア２の外周部分、本実施形態ではボルト穴形成部２ｃの周辺を押さえることで、ステータコア２の移動及び周辺部分の変形を効率的に防ぐことが可能となる。
【００３８】
以上、本実施形態に則して発明を説明したが、この発明は前記実施形態に限定されるものではなく、発明の趣旨を逸脱することのない範囲で構成の一部を適宜変更することにより実施することもできる。
例えば、支持手段１０の形状を変形することを妨げない。また、庇部３５についても、二股部３３の一部にしかもうけられていないが、右側先端部３１ａ及び左側先端部３２ａの全体に庇部３５を設けるように構成し、スロット紙７の上端部カフス部７ａ又は下端部カフス部７ｂを広域に保護するように形成しても良い。
【符号の説明】
【００３９】
１      ステータ
２      ステータコア
２ｃ      ボルト穴形成部
３      被覆導線
４      ティース
５      スロット
６      電磁鋼板
７      スロット紙
７ａ      上端部カフス部
７ｂ      下端部カフス部
１０      支持手段
１１      カフササポート機構
２０      押圧ピン
３５      庇部
ａ      スロット紙前高
ｂ      クリアランス
ｃ      カフササポータ全幅
【図１】
2010200505.tif 000003
【図２】
2010200505.tif 000004
【図３】
2010200505.tif 000005
【図４】
2010200505.tif 000006
【図５】
2010200505.tif 000007
【図６】
2010200505.tif 000008
【図７】
2010200505.tif 000009
【図８】
2010200505.tif 000010
【図９】
2010200505.tif 000011
【図１０】
2010200505.tif 000012
【図１１】
2010200505.tif 000013
【図１２】
2010200505.tif 000014
【図１３】
2010200505.tif 000015